(57)【要約】【課題】ライブビュー画像の第１領域の蓄積条件と第２領域の蓄積条件とを異ならせることにより、領域ごとの蓄積条件の変更に対応する画像の変化をライブビュー画像において確認する。【解決手段】電子機器１は、撮像部２０とシステム制御部７０とを備える。撮像部２０は、撮像素子１００を有し、第１領域と第２領域とを撮像する。システム制御部７０は、撮像部２０により撮像された第１領域と第２領域とに対応するライブビュー画像を表示部５０に表示させる。また、システム制御部７０は、ライブビュー画像の第１領域の蓄積条件と、第２領域の蓄積条件とを異ならせる制御を行う。【選択図】図５
2019004521.tif 000002
【特許請求の範囲】
【請求項１】
撮像素子を有し、第１領域と第２領域とを撮像可能な撮像部と、
前記撮像部により撮像された前記第１領域と前記第２領域とに対応するライブビュー画像を表示部に表示させる制御部と、
前記ライブビュー画像の前記第１領域の蓄積条件と、前記第２領域の蓄積条件とを異ならせる変更部と、を含む電子機器。
【請求項２】
前記変更部は、前記第１領域の蓄積時間と、前記第２領域の蓄積時間とを異ならせる請求項１記載の電子機器。
【請求項３】
前記変更部は、前記第１領域のフレームレートと、前記第２領域のフレームレートとを異ならせる請求項１または２記載の電子機器。
【請求項４】
前記変更部は、前記第１領域のゲインと、前記第２領域のゲインとを異ならせる請求項１から３のいずれか一項に記載の電子機器。
【請求項５】
前記変更部は、前記ライブビュー画像のコントラストと色変化との少なくとも一方に基づいて前記第１領域の蓄積条件と、前記第２領域の蓄積条件とを異ならせる請求項１から４のいずれか一項に記載の電子機器。
【請求項６】
移動被写体を検出する検出部を備え、
前記変更部は、前記検出部の検出結果に応じて、前記第１領域の蓄積条件と、前記第２領域の蓄積条件とを異ならせる請求項１から５のいずれか一項に記載の電子機器。
【請求項７】
撮像素子を有し、第１領域と第２領域とを撮像する撮像部が撮像したライブビュー画像を表示可能な表示部と、
前記撮像部により撮像された前記第１領域と前記第２領域とに対応する前記ライブビュー画像が前記表示部に表示されている際に、前記ライブビュー画像の撮像条件を設定するメニューを前記表示部に表示させる制御部と、を含む電子機器。
【請求項８】
前記ライブビュー画像の前記第１領域と前記第２領域とを選択可能な選択部を備える請求項１から７のいずれか一項記載の電子機器。
【請求項９】
前記選択部によって選択された前記領域の少なくとも一部を複数回撮像させて、合成する画像合成部を備える請求項８記載の電子機器。
【請求項１０】
前記選択部は、前記ライブビュー画像の一部を選択する第１操作部を有する請求項８または９記載の電子機器。
【請求項１１】
前記第１操作部は、前記表示部に形成されたタッチパネルを有する請求項１０記載の電子機器。
【請求項１２】
前記メニューを選択する第２操作部を備える請求項７記載の電子機器。
【請求項１３】
前記制御部は、ゲインに関するメニュー、蓄積時間に関するメニュー、及びフレームレートに関するメニューのうち、少なくとも１つを表示する請求項７または１２記載の電子機器。
【請求項１４】
前記制御部は、前記メニューを前記ライブビュー画像の近傍に表示する請求項７、１２、１３のいずれか一項に記載の電子機器。
【請求項１５】
撮像素子を有し、第１領域と第２領域とを撮像可能な撮像部を含む電子機器の制御装置に、
前記撮像部により撮像された前記第１領域と前記第２領域とに対応するライブビュー画像を表示部に表示させる表示処理と、
前記ライブビュー画像の前記第１領域の蓄積条件と、前記第２領域の蓄積条件とを異ならせる変更処理と、を実行させる制御プログラム。
【請求項１６】
撮像素子を有し、第１領域と第２領域とを撮像する撮像部が撮像したライブビュー画像を表示可能な表示部を含む電子機器の制御装置に、
前記撮像部により撮像された前記第１領域と前記第２領域とに対応する前記ライブビュー画像を前記表示部に表示させる第１表示処理と、
前記第１表示処理が行われている際に、前記ライブビュー画像の撮像条件を設定するメニューを前記表示部に表示させる第２表示処理と、を実行させる制御プログラム。
【発明の詳細な説明】
【技術分野】
【０００１】
本発明は、電子機器及び制御プログラムに関する。
【背景技術】
【０００２】
裏面照射型撮像チップと信号処理チップとが積層された撮像素子（以下、この撮像素子を積層型撮像素子という。）を備えた電子機器が提案されている（例えば特許文献１参照）。積層型撮像素子は、裏面照射型撮像チップと信号処理チップとが、複数画素をまとめたブロック単位ごとにマイクロバンプを介して接続されるように積層されている。
【先行技術文献】
【特許文献】
【０００３】
【特許文献１】特開２００６−４９３６１号公報
【発明の概要】
【発明が解決しようとする課題】
【０００４】
しかし、従来の積層型撮像素子を備えた電子機器において、複数のブロック単位ごとに撮像して画像を取得する提案は多くなく、積層型撮像素子を備えた電子機器の使い勝手が十分ではなかった。
【０００５】
本発明の態様では、ライブビュー画像の第１領域の蓄積条件と第２領域の蓄積条件とを異ならせることにより、領域ごとの蓄積条件の変更に対応する画像の変化をライブビュー画像において確認することを目的とする。
【課題を解決するための手段】
【０００６】
本発明の第１態様によれば、撮像素子を有し、第１領域と第２領域とを撮像可能な撮像部と、撮像部により撮像された第１領域と第２領域とに対応するライブビュー画像を表示部に表示させる制御部と、ライブビュー画像の第１領域の蓄積条件と、第２領域の蓄積条件とを異ならせる変更部と、を含む電子機器が提供される。
【０００７】
本発明の第２態様によれば、撮像素子を有し、第１領域と第２領域とを撮像する撮像部が撮像したライブビュー画像を表示可能な表示部と、撮像部により撮像された第１領域と第２領域とに対応するライブビュー画像が表示部に表示されている際に、ライブビュー画像の撮像条件を設定するメニューを表示部に表示させる制御部と、を含む電子機器が提供される。
【０００８】
本発明の第３態様によれば、撮像素子を有し、第１領域と第２領域とを撮像可能な撮像部を含む電子機器の制御装置に、撮像部により撮像された第１領域と第２領域とに対応するライブビュー画像を表示部に表示させる表示処理と、ライブビュー画像の第１領域の蓄積条件と、第２領域の蓄積条件とを異ならせる変更処理と、を実行させる制御プログラムが提供される。
【０００９】
本発明の第４態様によれば、撮像素子を有し、第１領域と第２領域とを撮像する撮像部が撮像したライブビュー画像を表示可能な表示部を含む電子機器の制御装置に、撮像部により撮像された第１領域と第２領域とに対応するライブビュー画像が表示部に表示させる第１表示処理と、第１表示処理が行われている際に、ライブビュー画像の撮像条件を設定するメニューを表示部に表示させる第２表示処理と、を実行させる制御プログラムが提供される。
【発明の効果】
【００１０】
本発明の態様によれば、ライブビュー画像の第１領域の蓄積条件と第２領域の蓄積条件とを異ならせることにより、領域ごとの蓄積条件の変更に対応する画像の変化をライブビュー画像において確認することができる。
【図面の簡単な説明】
【００１１】
【図１】積層型撮像素子の断面図である。
【図２】撮像チップの画素配列と単位グループを説明する図である。
【図３】撮像チップの単位グループに対応する回路図である。
【図４】撮像素子の機能的構成を示すブロック図である。
【図５】第１実施形態に係る電子機器の構成を示すブロック図である。
【図６】表示部における表示画面の一例を示す図である。
【図７】第１実施形態における画像処理部及びシステム制御部の機能ブロック図である。
【図８】第１実施形態に係るシステム制御部が実行する撮影動作を説明するためのフローチャートである。
【図９】画像表示領域に少ない数のブロックが設定される場合の表示画面の表示例を示す図である。
【図１０】画像表示領域に少ない数のブロックが設定される場合の表示画面の表示例を示す図である。
【図１１】画像表示領域に少ない数のブロックが設定される場合の表示画面の表示例を示す図である。
【図１２】画像表示領域に少ない数のブロックが設定される場合の表示画面の表示例を示す図である。
【図１３】第１実施形態に係る撮像処理の一例を示すフローチャートである。
【図１４】画像表示領域に多い数のブロックが設定される場合の表示画面の表示例を示す図である。
【図１５】画像表示領域に多い数のブロックが設定される場合の表示画面の表示例を示す図である。
【図１６】画像表示領域に多い数のブロックが設定される場合の表示画面の表示例を示す図である。
【図１７】第２実施形態における画像処理部及びシステム制御部の機能ブロック図である。
【図１８】第２実施形態に係るシステム制御部が実行する撮影動作を説明するためのフローチャートである。
【図１９】領域及び撮像条件の自動設定処理の一例を示すフローチャートである。
【図２０】第２実施形態に係る撮像処理の一例を示すフローチャートである。
【図２１】選択された領域のみ撮像される場合の表示画面の表示例を示す図である。
【図２２】第３実施形態に係る撮像装置及び電子機器の構成を示すブロック図である。
【図２３】第４実施形態における表示画面の表示例を示す図である。
【発明を実施するための形態】
【００１２】
以下、本発明の実施形態について図面を参照して説明する。ただし、本発明はこれに限定されるものではない。また、図面においては、実施形態を説明するため、一部分を大きくまたは強調して記載するなど適宜縮尺を変更して表現している。
【００１３】
＜第１実施形態＞
図１は、積層型撮像素子の断面図である。なお、この積層型撮像素子１００は、本願出願人が先に出願した特願２０１２−１３９０２６号に記載されているものである。撮像素子１００は、入射光に対応した画素信号を出力する撮像チップ１１３と、画素信号を処理する信号処理チップ１１１と、画素信号を記憶するメモリチップ１１２とを備える。これら撮像チップ１１３、信号処理チップ１１１、及びメモリチップ１１２は積層されており、Ｃｕ等の導電性を有するバンプ１０９により互いに電気的に接続される。
【００１４】
なお、図示するように、入射光は主に白抜き矢印で示すＺ軸プラス方向へ向かって入射する。本実施形態においては、撮像チップ１１３において、入射光が入射する側の面を裏面と称する。また、座標軸に示すように、Ｚ軸に直交する紙面左方向をＸ軸プラス方向、Ｚ軸及びＸ軸に直交する紙面手前方向をＹ軸プラス方向とする。以降のいくつかの図においては、図１の座標軸を基準として、それぞれの図の向きがわかるように座標軸を表示する。
【００１５】
撮像チップ１１３の一例は、裏面照射型のＭＯＳイメージセンサである。ＰＤ層１０６は、配線層１０８の裏面側に配されている。ＰＤ層１０６は、二次元的に配され、入射光に応じた電荷を蓄積する複数のフォトダイオード（Photodiode；以下、ＰＤという。）１０４、及び、ＰＤ１０４に対応して設けられたトランジスタ１０５を有する。
【００１６】
ＰＤ層１０６における入射光の入射側にはパッシベーション膜１０３を介してカラーフィルタ１０２が設けられる。カラーフィルタ１０２は、可視光のうち特定の波長領域を通過させるフィルタである。このカラーフィルタ１０２は、互いに異なる波長領域を透過する複数の種類を有しており、ＰＤ１０４のそれぞれに対応して特定の配列を有している。カラーフィルタ１０２の配列については後述する。カラーフィルタ１０２、ＰＤ１０４、及びトランジスタ１０５の組が一つの画素を形成する。
【００１７】
カラーフィルタ１０２における入射光の入射側には、それぞれの画素に対応して、マイクロレンズ１０１が設けられる。マイクロレンズ１０１は、対応するＰＤ１０４へ向けて入射光を集光する。
【００１８】
配線層１０８は、ＰＤ層１０６からの画素信号を信号処理チップ１１１に伝送する配線１０７を有する。配線１０７は多層であってもよく、また、受動素子及び能動素子が設けられてもよい。配線層１０８の表面には複数のバンプ１０９が配される。これら複数のバンプ１０９が信号処理チップ１１１の対向する面に設けられた複数のバンプ１０９と位置合わせされる。そして、撮像チップ１１３と信号処理チップ１１１とが加圧等されることにより、位置合わせされたバンプ１０９同士が接合されて、電気的に接続される。
【００１９】
同様に、信号処理チップ１１１及びメモリチップ１１２の互いに対向する面には、複数のバンプ１０９が配される。これらのバンプ１０９が互いに位置合わせされる。そして、信号処理チップ１１１とメモリチップ１１２とが加圧等されることにより、位置合わせされたバンプ１０９同士が接合されて、電気的に接続される。
【００２０】
なお、バンプ１０９間の接合には、固相拡散によるＣｕバンプ接合に限らず、はんだ溶融によるマイクロバンプ結合を採用してもよい。また、バンプ１０９は、例えば後述する一つの単位グループに対して一つ程度設ければよい。従って、バンプ１０９の大きさは、ＰＤ１０４のピッチよりも大きくてもよい。また、画素が配列された画素領域（図２に示す画素領域１１３Ａ）以外の周辺領域において、画素領域に対応するバンプ１０９よりも大きなバンプを併せて設けてもよい。
【００２１】
信号処理チップ１１１は、表面及び裏面にそれぞれ設けられた回路を互いに接続するＴＳＶ（Through-Silicon Via；シリコン貫通電極）１１０を有する。ＴＳＶ１１０は、周辺領域に設けられる。また、ＴＳＶ１１０は、撮像チップ１１３の周辺領域や、メモリチップ１１２に設けられてもよい。
【００２２】
図２は、撮像チップの画素配列と単位グループを説明する図である。図２では、特に、撮像チップ１１３を裏面側から観察した様子を示す。撮像チップ１１３において画素が配列された領域を画素領域１１３Ａという。画素領域１１３Ａには２０００万個以上もの画素がマトリックス状に配列されている。図２に示す例では、隣接する４画素×４画素の１６画素が一つの単位グループ１３１を形成する。図２の格子線は、隣接する画素がグループ化されて単位グループ１３１を形成する概念を示す。単位グループ１３１を形成する画素の数はこれに限られず１０００個程度、例えば３２画素×６４画素でもよいし、それ以上でもそれ以下でもよい。
【００２３】
画素領域１１３Ａの部分拡大図に示すように、単位グループ１３１は、緑色画素Ｇｂ，Ｇｒ、青色画素Ｂ、及び赤色画素Ｒの４画素から成るいわゆるベイヤー配列を、上下左右に４つ内包する。緑色画素は、カラーフィルタ１０２として緑色フィルタを有する画素であり、入射光のうち緑色波長帯の光を受光する。同様に、青色画素は、カラーフィルタ１０２として青色フィルタを有する画素であって青色波長帯の光を受光する。赤色画素は、カラーフィルタ１０２として赤色フィルタを有する画素であって赤色波長帯の光を受光する。
【００２４】
図３は、撮像チップの単位グループに対応する回路図である。図３において、代表的に点線で囲む矩形が、１画素に対応する回路を表す。なお、以下に説明する各トランジスタの少なくとも一部は、図１のトランジスタ１０５に対応する。
【００２５】
上述したように、単位グループ１３１は、１６画素から形成される。それぞれの画素に対応する１６個のＰＤ１０４は、それぞれ転送トランジスタ３０２に接続される。各転送トランジスタ３０２のゲートには、転送パルスが供給されるＴＸ配線３０７に接続される。本実施形態において、ＴＸ配線３０７は、１６個の転送トランジスタ３０２に対して共通接続される。
【００２６】
各転送トランジスタ３０２のドレインは、対応する各リセットトランジスタ３０３のソースに接続されるとともに、転送トランジスタ３０２のドレインと各リセットトランジスタ３０３のソース間のいわゆるフローティングディフュージョンＦＤ（電荷検出部）が増幅トランジスタ３０４のゲートに接続される。各リセットトランジスタ３０３のドレインは電源電圧が供給されるＶｄｄ配線３１０に接続される。各リセットトランジスタ３０３のゲートはリセットパルスが供給されるリセット配線３０６に接続される。本実施形態において、リセット配線３０６は、１６個のリセットトランジスタ３０３に対して共通接続される。
【００２７】
各々の増幅トランジスタ３０４のドレインは電源電圧が供給されるＶｄｄ配線３１０に接続される。また、各々の増幅トランジスタ３０４のソースは、対応する各々の選択トランジスタ３０５のドレインに接続される。各々の選択トランジスタ３０５のゲートには、選択パルスが供給されるデコーダ配線３０８に接続される。本実施形態において、デコーダ配線３０８は、１６個の選択トランジスタ３０５に対してそれぞれ独立に設けられる。そして、各々の選択トランジスタ３０５のソースは、共通の出力配線３０９に接続される。負荷電流源３１１は、出力配線３０９に電流を供給する。すなわち、選択トランジスタ３０５に対する出力配線３０９は、ソースフォロアにより形成される。なお、負荷電流源３１１は、撮像チップ１１３側に設けてもよいし、信号処理チップ１１１側に設けてもよい。
【００２８】
ここで、電荷の蓄積開始から蓄積終了後の画素出力までの流れを説明する。リセット配線３０６を通じてリセットパルスがリセットトランジスタ３０３に印加される。これと同時に、ＴＸ配線３０７を通じて転送パルスが転送トランジスタ３０２に印加される。これにより、ＰＤ１０４及びフローティングディフュージョンＦＤの電位はリセットされる。
【００２９】
ＰＤ１０４は、転送パルスの印加が解除されると、受光する入射光を電荷に変換して蓄積する。その後、リセットパルスが印加されていない状態で再び転送パルスが印加されると、ＰＤ１０４において蓄積された電荷はフローティングディフュージョンＦＤへ転送される。これにより、フローティングディフュージョンＦＤの電位は、リセット電位から電荷蓄積後の信号電位になる。そして、デコーダ配線３０８を通じて選択パルスが選択トランジスタ３０５に印加されると、フローティングディフュージョンＦＤの信号電位の変動が、増幅トランジスタ３０４及び選択トランジスタ３０５を介して出力配線３０９に伝わる。このような回路の動作により、リセット電位と信号電位とに対応する画素信号は、単位画素から出力配線３０９に出力される。
【００３０】
図３に示すように、本実施形態においては、単位グループ１３１を形成する１６画素に対して、リセット配線３０６とＴＸ配線３０７が共通である。すなわち、リセットパルスと転送パルスはそれぞれ、１６画素すべてに対して同時に印加される。従って、単位グループ１３１を形成するすべての画素は、同一のタイミングで電荷蓄積を開始し、同一のタイミングで電荷蓄積を終了する。ただし、蓄積された電荷に対応する画素信号は、それぞれの選択トランジスタ３０５に選択パルスが順次印加されることにより、選択的に出力配線３０９に出力される。また、リセット配線３０６、ＴＸ配線３０７、出力配線３０９は、単位グループ１３１毎に別個に設けられる。
【００３１】
このように単位グループ１３１を基準として回路を構成することにより、単位グループ１３１ごとに電荷蓄積時間を制御することができる。換言すると、単位グループ１３１間で、異なった電荷蓄積時間による画素信号をそれぞれ出力させることができる。更に言えば、一方の単位グループ１３１に１回の電荷蓄積を行わせている間に、他方の単位グループ１３１に何回もの電荷蓄積を繰り返させてその都度画素信号を出力させることにより、これらの単位グループ１３１間で異なるフレームレートで動画用の各フレームを出力することもできる。
【００３２】
図４は、撮像素子の機能的構成を示すブロック図である。アナログのマルチプレクサ４１１は、単位グループ１３１を形成する１６個のＰＤ１０４を順番に選択する。そして、マルチプレクサ４１１は、１６個のＰＤ１０４のそれぞれの画素信号を当該単位グループ１３１に対応して設けられた出力配線３０９へ出力させる。マルチプレクサ４１１は、ＰＤ１０４とともに、撮像チップ１１３に形成される。
【００３３】
マルチプレクサ４１１を介して出力されたアナログ信号の画素信号は、信号処理チップ１１１に形成されたアンプ４１２により増幅される。そして、アンプ４１２で増幅された画素信号は、信号処理チップ１１１に形成された、相関二重サンプリング（ＣＤＳ；Correlated Double Sampling）・アナログ／デジタル（Analog／Digital）変換を行う信号処理回路４１３により、相関二重サンプリングの信号処理が行われるとともに、Ａ／Ｄ変換（アナログ信号からデジタル信号への変換）が行われる。画素信号が信号処理回路４１３において相関二重サンプリングの信号処理が行われることにより、画素信号のノイズが低減される。Ａ／Ｄ変換された画素信号は、デマルチプレクサ４１４に引き渡され、それぞれの画素に対応する画素メモリ４１５に格納される。デマルチプレクサ４１４及び画素メモリ４１５は、メモリチップ１１２に形成される。
【００３４】
演算回路４１６は、画素メモリ４１５に格納された画素信号を処理して後段の画像処理部に引き渡す。演算回路４１６は、信号処理チップ１１１に設けられてもよいし、メモリチップ１１２に設けられてもよい。なお、図４では１つの単位グループ１３１の分の接続を示すが、実際にはこれらが単位グループ１３１ごとに存在して、並列で動作する。ただし、演算回路４１６は単位グループ１３１ごとに存在しなくてもよい。例えば、一つの演算回路４１６がそれぞれの単位グループ１３１に対応する画素メモリ４１５の値を順に参照しながらシーケンシャルに処理してもよい。
【００３５】
上記した通り、単位グループ１３１のそれぞれに対応して出力配線３０９が設けられている。撮像素子１００は、撮像チップ１１３、信号処理チップ１１１、及びメモリチップ１１２を積層している。このため、これら出力配線３０９にバンプ１０９を用いたチップ間の電気的接続を用いることにより、各チップを面方向に大きくすることなく配線を引き回すことができる。
【００３６】
次に、撮像素子１００の画素領域１１３Ａ（図２参照）に設定されるブロックについて説明する。本実施形態において、撮像素子１００の画素領域１１３Ａは、複数のブロックに分割される。複数のブロックは、１ブロックにつき単位グループ１３１を少なくとも１つ含むように定義される。各ブロックはそれぞれ異なる制御パラメータで各ブロックに含まれる画素が制御される。つまり、あるブロックに含まれる画素群と、別のブロックに含まれる画素群とで、制御パラメータが異なる画素信号が取得される。制御パラメータとしては、例えば、電荷の蓄積時間又は蓄積回数、フレームレート、ゲイン、間引き率、画素信号を加算する加算行数又は加算列数、デジタル化のビット数などがあげられる。さらに、制御パラメータは、画素からの画像信号取得後の画像処理におけるパラメータであってもよい。
【００３７】
ここで、電荷の蓄積時間とは、ＰＤ１０４が電荷の蓄積を開始してから終了するまでの時間のことをいう。また、電荷の蓄積回数とは、単位時間あたりにＰＤ１０４が電荷を蓄積する回数のことをいう。また、フレームレートとは、動画において単位時間あたりに処理（表示又は記録）されるフレーム数を表す値のことをいう。フレームレートの単位はｆｐｓ（Frames Per Second）で表される。フレームレートが高くなる程、動画における被写体の動きが滑らかになる。
【００３８】
また、ゲインとは、アンプ４１２の利得率（増幅率）のことをいう。このゲインを変更することにより、ＩＳＯ感度を変更することができる。このＩＳＯ感度は、ＩＳＯで策定された写真フィルムの規格であり、写真フィルムがどの程度弱い光まで記録することができるかを表す。ただし、一般に、撮像素子１００の感度を表現する場合もＩＳＯ感度が用いられる。この場合、ＩＳＯ感度は撮像素子１００が光をとらえる能力を表す値となる。ゲインを上げるとＩＳＯ感度も向上する。例えば、ゲインを倍にすると電気信号（画素信号）も倍になり、入射光の光量が半分でも適切な明るさとなる。しかし、ゲインを上げると、電気信号に含まれるノイズも増幅されるため、ノイズが多くなってしまう。
【００３９】
また、間引き率とは、所定領域においてすべての画素数に対する画素信号の読み出しを行わない画素数の割合をいう。例えば、所定領域の間引き率が０である場合は、その所定領域内のすべての画素から画素信号の読み出しが行われることを意味する。また、所定領域の間引き率が０．５である場合は、その所定領域内の半分の画素から画素信号を読み出しが行われることを意味する。具体的には、単位グループ１３１がベイヤー配列である場合、垂直方向についてベイヤー配列の単位の一つ置き、すなわち、画素単位の２画素ずつ（２行ずつ）交互に画素信号が読み出される画素と読み出されない画素とが設定される。なお、画素信号の読み出しの間引きが行われると画像の解像度が低下する。しかし、撮像素子１００には２０００万以上の画素が配置されているため、例えば間引き率０．５で間引きを行ったとしても、１０００万以上の画素で画像を表示することができる。このため、使用者にとって解像度の低下は気にならないものと考えられる。
【００４０】
また、加算行数とは、垂直方向に隣接する画素の画素信号を加算する場合に、その加算する垂直方向の画素の数（行数）をいう。また、加算列数とは、水平方向に隣接する画素の画素信号を加算する場合に、その加算する水平方向の画素の数（列数）をいう。このような加算の処理は、例えば演算回路４１６において行われる。演算回路４１６が垂直方向又は水平方向に隣接する所定数の画素の画素信号を加算する処理を行うことにより、所定の間引き率で間引いて画素信号を読み出す処理と同じような効果を奏する。なお、上記した加算の処理において、演算回路４１６が加算した行数または列数で加算値を割ることにより平均値を算出するようにしてもよい。
【００４１】
また、デジタル化のビット数とは、信号処理回路４１３がＡ／Ｄ変換においてアナログ信号をデジタル信号に変換したときのビット数をいう。デジタル信号のビット数が多くなる程、輝度や色変化などがより詳細に表現される。
【００４２】
本実施形態において、蓄積条件とは、撮像素子１００における電荷の蓄積に関する条件のことをいう。具体的には、蓄積条件は、上記した制御パラメータのうち、電荷の蓄積時間又は蓄積回数、フレームレート、及びゲインのことをいう。フレームレートは電荷の蓄積時間や蓄積回数に応じて変化し得るので、フレームレートが蓄積条件に含まれる。また、ゲインに応じて適正露出の光量は変化し、適正露出の光量に応じて電荷の蓄積時間又は蓄積回数も変化し得る。このため、ゲインは蓄積条件に含まれる。
【００４３】
また、撮像条件とは、被写体の撮像に関する条件をいう。具体的には、撮像条件は、上記した蓄積条件を含む制御パラメータのことをいう。撮像条件は、撮像素子１００を制御するための制御パラメータ（例えば、電荷の蓄積時間又は蓄積回数、フレームレート、ゲイン）のほかに、撮像素子１００からの信号の読み出しを制御するための制御パラメータ（例えば、間引き率）、撮像素子１００からの信号を処理するための制御パラメータ（例えば、画素信号を加算する加算行数又は加算列数、デジタル化のビット数、後述する画像処理部３０が画像処理を実行するための制御パラメータ）も含まれる。
【００４４】
図５は、第１実施形態に係る電子機器の構成を示すブロック図である。図５に示すように、電子機器１は、レンズ部１０、撮像部２０、画像処理部３０、ワークメモリ４０、表示部５０、操作部５５、記録部６０、及びシステム制御部７０を備える。レンズ部１０は、複数のレンズ群から構成された撮像光学系である。このレンズ部１０は、被写体からの光束を撮像部２０へ導く。このレンズ部１０は、電子機器１と一体構成であってもよく、また電子機器１に対して着脱可能な交換式レンズであってもよい。また、このレンズ部１０は、フォーカスレンズを内蔵していてもよく、またズームレンズを内蔵していてもよい。
【００４５】
撮像部２０は、撮像素子１００及び駆動部２１を有している。駆動部２１は、システム制御部７０からの指示に従って、撮像素子１００の駆動を制御する制御回路である。ここで、駆動部２１は、リセットパルス及び転送パルスをそれぞれリセットトランジスタ３０３及び転送トランジスタ３０２に印加するタイミング（又はタイミングの周期）を制御することにより、制御パラメータである電荷の蓄積時間又は蓄積回数を制御する。また、駆動部２１は、リセットパルス、転送パルス、及び選択パルスをそれぞれリセットトランジスタ３０３、転送トランジスタ３０２、及び選択トランジスタ３０５に印加するタイミング（又はタイミングの周期）を制御することにより、フレームレートを制御する。また、駆動部２１は、リセットパルス、転送パルス、及び選択パルスを印加する画素を設定することにより、間引き率を制御する。
【００４６】
また、駆動部２１は、アンプ４１２のゲイン（利得率、増幅率ともいう。）を制御することにより、撮像素子１００のＩＳＯ感度を制御する。また、駆動部２１は、演算回路４１６に指示を送ることにより、画素信号を加算する加算行数又は加算列数を設定する。また、駆動部２１は、信号処理回路４１３に指示を送ることにより、デジタル化のビット数を設定する。さらに、駆動部２１は、撮像素子１００の画素領域（撮像領域）１１３Ａにおけるブロックの設定を行う。このように、駆動部２１は、撮像素子１００に対して複数のブロックごとに異なる撮像条件で撮像させて画素信号を出力させる撮像素子制御部の機能を担う。システム制御部７０は、駆動部２１に対するブロックの位置、形状、範囲などの指示を行う。
【００４７】
撮像素子１００は、撮像素子１００からの画素信号を画像処理部３０へ引き渡す。画像処理部３０は、ワークメモリ４０をワークスペースとして、各画素の画素信号からなる生画像データに対して種々の画像処理を施し、画像データを生成する。この画像処理部３０はＣＰＵを有し、ＣＰＵが種々の画像処理を実行する。例えば、画像処理部３０は、ベイヤー配列で得られた信号に対して色信号処理を行うことによりＲＧＢ画像信号を生成する。また、画像処理部３０は、ＲＧＢ画像信号に対して、ホワイトバランス調整、シャープネス調整、ガンマ補正、階調調整などの画像処理を行う。また、画像処理部３０は、必要に応じて、所定の圧縮形式（ＪＰＥＧ形式、ＭＰＥＧ形式等）で圧縮する処理を行う。画像処理部３０において生成された画像データは、システム制御部７０を介して記録部６０に記録される。また、画像処理部３０において生成された画像データは、システム制御部７０を介して表示部５０に出力され、表示部５０において表示される。
【００４８】
本実施形態では、画像処理部３０は、上記した処理のほかに、複数回連続して撮像された画像に基づく画像データを合成する処理を行う。このような処理により、ノイズの除去が行われる。
【００４９】
画像処理部３０が画像処理を行う際に参照されるパラメータも制御パラメータ（撮像条件）に含まれる。例えば、色信号処理、ホワイトバランス調整、階調調整、圧縮率などのパラメータが制御パラメータに含まれる。電荷の蓄積時間などに応じて撮像素子１００から読み出される信号が変化し、その信号の変化に応じて画像処理を行う際に参照されるパラメータも変化する。画像処理部３０は、ブロック単位ごとに異なる制御パラメータを設定し、これらの制御パラメータに基づいて色信号処理などの画像処理を実行する。
【００５０】
画像処理部３０は、撮像部２０から時系列的に得られる複数のフレームのうち所定タイミングごとのフレームを抽出する。または、画像処理部３０は、撮像部２０から時系列的に得られる複数のフレームのうち所定タイミングごとのフレームを廃棄する。これにより、データ量を減らすことができるため、後段処理の負荷を軽減することができる。また、画像処理部３０は、撮像部２０から時系列的に得られる複数のフレームに基づいて、各フレーム間に補間する１又は複数のフレームを算出する。そして、画像処理部３０は、算出した１又は複数のフレームを各フレーム間に追加する。これにより、動画再生時においてより滑らかな動きの動画を再生することができる。また、駆動部２１が間引き率を制御するように構成しているが、このような構成に限られない。例えば、駆動部２１はすべての画素から画素信号を読み出すが、画像処理部３０又は演算回路４１６は読み出した画素信号のうち所定の画素信号を廃棄することにより、間引き率を制御するようにしてもよい。
【００５１】
ワークメモリ４０は、画像処理部３０による画像処理が行われる際に画像データなどを一時的に記憶する。表示部５０は、例えば液晶表示パネルによって構成されている。この表示部５０は、図５に示すように、表示部５０は、第１表示部５１、第１タッチパネル（選択部、第１操作部）５２、第２表示部５３、及び第２タッチパネル（第２操作部）５４を有している。
【００５２】
第１表示部５１は、撮像部２０で撮像された画像（静止画、動画、ライブビュー画像）や各種情報を表示する。第１タッチパネル５２は、第１表示部５１の表示画面上に形成されている。この第１タッチパネル５２は、使用者が領域の指定を行う際に、使用者が触れた位置を示す信号をシステム制御部７０に出力する。第２表示部５３は、使用者が撮像条件（制御パラメータ）を設定するためのメニューを表示する。第２タッチパネル５４は、第２表示部５３の表示画面上に形成されている。この第２タッチパネル５４は、使用者が撮像条件の設定を行う際に、使用者が触れた位置を示す信号をシステム制御部７０に出力する。
【００５３】
操作部５５は、使用者によって操作されるシャッターボタンや録画開始ボタン、各種の操作スイッチなどである。この操作部５５は、使用者による操作に応じた信号をシステム制御部７０に出力する。記録部６０は、メモリカードなどの記憶媒体を装着可能なカードスロットを有する。記録部６０は、カードスロットに装着された記録媒体に画像処理部３０において生成された画像データや各種データを記憶する。また、記録部６０は、内部メモリを有する。記録部６０は、画像処理部３０において生成された画像データや各種データを内部メモリに記録するように構成されてもよい。
【００５４】
システム制御部７０は、電子機器１の全体の処理及び動作を制御する。このシステム制御部７０はＣＰＵ（Central Processing Unit）を有する。本実施形態において、システム制御部７０は、撮像素子１００（撮像チップ１１３）の撮像面（画素領域１１３Ａ）を複数のブロックに分け、ブロック間において異なる電荷蓄積時間（又は電荷蓄積回数）、フレームレート、ゲインで画像を取得させる。このため、システム制御部７０は、ブロックの位置、形状、範囲、及び各ブロック用の蓄積条件を駆動部２１に対して指示する。また、システム制御部７０は、ブロック間で異なる間引き率、画素信号を加算する加算行数又は加算列数、及びデジタル化のビット数で画像を取得させる。このため、システム制御部７０は、各ブロック用の撮像条件（間引き率、画素信号を加算する加算行数又は加算列数、及びデジタル化のビット数）を駆動部２１に対して指示する。また、画像処理部３０は、ブロック間で異なる撮像条件（色信号処理、ホワイトバランス調整、階調調整、圧縮率などの制御パラメータ）で画像処理を実行する。このため、システム制御部７０は、各ブロック用の撮像条件（色信号処理、ホワイトバランス調整、階調調整、圧縮率などの制御パラメータ）を画像処理部３０に指示する。
【００５５】
また、システム制御部７０は、画像処理部３０において生成された画像データを記録部６０に記録させる。また、システム制御部７０は、画像処理部３０において生成された画像データを表示部５０に出力することにより、表示部５０の第１表示部５１に画像を表示させる。または、システム制御部７０は、記録部６０に記録されている画像データを読み出して表示部５０に出力することにより、表示部５０の第１表示部５１に画像を表示させる。第１表示部５１に表示される画像としては、静止画、動画、ライブビュー画像が含まれる。ここで、ライブビュー画像は、画像処理部３０で生成された画像データを表示部５０に順次出力して第１表示部５１に表示される画像である。ライブビュー画像は、撮像部２０により撮像されている被写体の画像を使用者が確認するために用いられる。ライブビュー画像は、スルー画やプレビュー画像とも呼ばれる。
【００５６】
なお、画像処理部３０は、ＣＰＵが制御プログラムに基づいて処理を実行することにより実現される。また、システム制御部７０は、ＣＰＵが制御プログラムに基づいて処理を実行することにより実現される。
【００５７】
図６は、表示部における表示画面の一例を示す図である。図６に示すように、表示部５０の表示画面５００は、画像表示領域５１０と操作ボタン表示領域５２０とが設けられている。画像表示領域５１０は、撮像部２０で撮像された画像、すなわち、静止画、動画、及びライブビュー画像を表示する領域である。また、操作ボタン表示領域５２０は、使用者が撮像条件などを設定するためのメニューを表示する領域である。本実施形態では、画像表示領域５１０及び操作ボタン表示領域５２０は、１つの表示画面５００内に設けられている。なお、画像表示領域５１０は第１表示部５１に相当し、操作ボタン表示領域５２０は第２表示部５３に相当する。
【００５８】
画像表示領域５１０内には、複数のブロックＢ（ｉ，ｊ）が設定されている。図６に示す例では、ブロックＢ（ｉ，ｊ）は、画像表示領域５１０において、水平方向（図６の横方向）に８個のブロック（ｉ＝１〜８）が設定され、垂直方向（図６の縦方向）に６個のブロック（ｊ＝１〜６）が設定されている。つまり、画像表示領域５１０が８×６個（＝４８個）のブロックに分割されている。また、第１タッチパネル５２が画像表示領域５１０上に設けられている。第１タッチパネル５２において、複数のタッチ領域Ｐ（ｉ，ｊ）が複数のブロックＢ（ｉ，ｊ）のそれぞれに重なるように形成されている。各タッチ領域Ｐ（ｉ，ｊ）は、使用者により押された（タッチされた）ことを検出すると、押された位置（いずれのタッチ領域であるか）を示す検出信号をシステム制御部７０に出力する。
【００５９】
操作ボタン表示領域５２０は、画像表示領域５１０の近傍に設けられている。操作ボタン表示領域５２０内には、使用者が領域、撮像条件、及び撮影モードを設定するためのメニュー（メニュー画像）が表示される。使用者が領域を設定するためのメニューは、設定のボタン５２１である。使用者が撮像条件を設定するためのメニューは、ＩＳＯ感度のボタン５２２（これはゲインに関するメニューともいう。）、シャッタースピードのボタン５２３（これは電荷の蓄積時間に関するメニューともいう。）、及びフレームレートのボタン５２４（これはフレームレートに関するメニューともいう。）である。使用者が撮影モードを設定するためのメニューは、撮影モードのボタン５２５である。以下、設定のボタン５２１、ＩＳＯ感度のボタン５２２、シャッタースピードのボタン５２３、フレームレートのボタン５２４、及び撮影モードのボタン５２５のことを、それぞれ、単に、「設定５２１」、「ＩＳＯ感度５２２」、「シャッター５２３」、「フレームレート５２４」、及び「撮影モード５２５」と記す。
【００６０】
設定５２１は、使用者が画像表示領域５１０内の領域をブロック単位で設定（選択）する場合に押すボタンである。ＩＳＯ感度５２２は、使用者がＩＳＯ感度（すなわちゲイン）を設定する場合に押すボタンである。シャッター５２３は、使用者がシャッタースピード（すなわち、露光時間）を設定する場合に押すボタンである。なお、シャッタースピードは電荷の蓄積時間に対応する。フレームレート５２４は、使用者が動画やライブビュー画像のフレームレートを設定する場合に押すボタンである。撮影モード５２５は、使用者が手動（マニュアル）で撮像条件を設定するか、自動で撮像条件を設定するかを選択する場合に押すボタンである。
【００６１】
また、第２タッチパネル５４が操作ボタン表示領域５２０上に設けられている。第２タッチパネル５４において、タッチ領域５２１ａが設定５２１上に重なるように形成されている。また、タッチ領域５２２ａがＩＳＯ感度５２２上に重なるように形成されている。また、タッチ領域５２３ａがシャッター５２３上に重なるように形成されている。また、タッチ領域５２４ａがフレームレート５２４上に重なるように形成されている。また、タッチ領域５２５ａが撮影モード５２５上に重なるように形成されている。各タッチ領域５２１ａ〜５２５ａは、使用者により押された（タッチされた）ことを検出すると、押された位置（いずれのタッチ領域であるか）を示す検出信号をシステム制御部７０に出力する。なお、本実施形態において、第１タッチパネル５２及び第２タッチパネル５４は、別々のタッチパネルで構成されてもよく、１つのタッチパネルで構成されてもよい。１つのタッチパネルで構成されている場合は、そのタッチパネルのタッチ領域Ｐ（ｉ，ｊ）が第１タッチパネル５２に相当し、タッチ領域５２１ａ〜５２５ａが第２タッチパネル５４に相当する。
【００６２】
図７は、第１実施形態における画像処理部及びシステム制御部の機能ブロック図である。図７に示すように、画像処理部３０は合成処理部３１を含んでいる。この合成処理部３１は、高速に複数回撮像された画像を合成する処理を行う。このような処理により、画像に含まれるノイズが低減される。すなわち、この処理はノイズリダクションの機能を果たす。
【００６３】
また、システム制御部７０は、表示制御部（制御部）７１、変更部７２、選択部７３、及び撮像制御部（画像合成部）７４を含んでいる。表示制御部７１は、画像データを表示部５０に出力することにより、第１表示部５１に画像（静止画、動画、ライブビュー画像）を表示させる制御を行う。また、表示制御部７１は、予め設定されているメニュー画像を第２表示部５３に表示させる制御を行う。変更部７２は、使用者による第２タッチパネル５４のタッチ操作に応じて、又は自動的に、撮像条件（蓄積条件を含む）を変更する制御を行う。また、選択部７３は、使用者による第１タッチパネル５２のタッチ操作に応じて、画像表示領域５１０内の領域をブロック単位で選択する制御を行う。また、撮像制御部（画像合成部）７４は、使用者によるシャッターボタン（操作部５５）の操作に応じて撮像の制御を実行する。
【００６４】
実施形態（第１実施形態、後述する第２及び第３実施形態）において、「第１領域」とは、表示画面５００の画像表示領域５１０において使用者の操作に応じて又は自動的に選択部７３により選択された領域に対応する撮像素子１００の画素領域１１３Ａ内の領域のことをいう。また、「第２領域」とは、表示画面５００の画像表示領域５１０において使用者の操作に応じて又は自動的に選択部７３により選択された領域に対応する撮像素子１００の画素領域１１３Ａ内の領域のことをいう。第１領域と第２領域は、２分割された領域の一方と他方であってもよく、また３分割以上された領域のうちのいずれか一方と他方であってもよい。
【００６５】
次に、第１実施形態に係る撮影動作について説明する。図８は、第１実施形態に係るシステム制御部が実行する撮影動作を説明するためのフローチャートである。また、図９〜図１２は、画像表示領域に少ない数のブロックが設定される場合の表示画面の表示例を示す図である。
【００６６】
図８に示す処理において、電子機器１に電源が投入された後、使用者が撮影を開始するために操作部５５などの操作を行うと、システム制御部７０が撮影動作を開始する（ステップＳ１）。なお、使用者は、予め静止画を撮影するか動画を撮影するかを選択する操作を行う。
【００６７】
撮影が開始されると、表示制御部７１は、撮像部２０で撮像されたライブビュー画像を第１表示部５１（画像表示領域５１０）に表示する（ステップＳ２）。図９に示す例では、画像表示領域５１０に滝のライブビュー画像が表示されている。使用者は、画像表示領域５１０内の領域を選択する場合、設定５２１（すなわちタッチ領域５２１ａ）を指でタッチする。これにより、画像表示領域５１０内の領域が選択可能な状態、すなわち、第１タッチパネル５２がタッチ操作を検出可能な状態となる。その後、使用者は、画像表示領域５１０に設定されているブロックＢ（ｉ，ｊ）を指でタッチすること（又は指でなぞる）ことにより、画像表示領域５１０内の領域をブロック単位で選択する。第１タッチパネル５２は、使用者によりタッチされたタッチ領域Ｐ（ｉ，ｊ）に対応する検出信号をシステム制御部７０に出力する。
【００６８】
選択部７３は、第１タッチパネル５２からの検出信号に基づいて、使用者によって選択された領域を認識する。図１０に示す例では、使用者によって領域５１１が選択されている。この領域５１１は、滝の後ろの背景の領域（図１０中の白線が引かれている領域）である。具体的には、領域５１１は、ブロックＢ（３，１）〜Ｂ（８，１），Ｂ（４，２）〜Ｂ（８，２），Ｂ（５，３）〜Ｂ（８，３），Ｂ（６，４）〜Ｂ（８，４）からなる領域である。
【００６９】
選択部７３は、使用者により領域が選択されたか否かを判定する（ステップＳ３）。使用者により領域が選択されたと判定した場合は、選択部７３は、使用者により選択された領域５１１を設定する（ステップＳ４）。具体的には、選択部７３は、駆動部２１に対して使用者により選択されたブロックの位置などを指示する指示信号を出力する。
【００７０】
変更部７２は、使用者により撮影モードとしてオートモード（自動モード）が選択されたか否かを判定する（ステップＳ５）。ここで、使用者は、撮影モードを設定する場合は、撮影モード５２５（すなわちタッチ領域５２５ａ）をタッチする。そして、使用者は、撮影モードのうちマニュアルモード（手動モード）かオートモード（自動モード）かを選択する。変更部７２は、撮影モードとしてオートモードが選択されていないと判定した場合、すなわち、撮影モードとしてマニュアルモードが選択されたと判定した場合は、使用者の第２タッチパネル５４の操作に応じて撮像条件（蓄積条件を含む）を設定する（ステップＳ６）。
【００７１】
例えば、使用者は、撮像条件としてＩＳＯ感度を設定する場合は、ＩＳＯ感度５２２（すなわちタッチ領域５２２ａ）をタッチする。第２タッチパネル５４は、使用者によりタッチされたタッチ領域５２２ａに対応する検出信号をシステム制御部７０に出力する。表示制御部７１は、図１１に示すように、ＩＳＯ感度５２２の横にＩＳＯ感度の値を複数表示させる。図１１に示す例では、ＩＳＯ感度として、「１００」「２００」「４００」「８００」「１６００」が表示される。変更部７１は、第２タッチパネル５４において、ＩＳＯ感度のそれぞれの値の領域と重なるように新たにタッチ領域を設定する。使用者は、ＩＳＯ感度の値のいずれかをタッチする。第２タッチパネル５４は、使用者によりタッチされたタッチ領域に対応する検出信号をシステム制御部７０に出力する。変更部７２は、使用者にタッチされたＩＳＯ感度の値を設定する。具体的には、変更部７２は、使用者により選択されたＩＳＯ感度に応じたゲインを指示する指示信号を駆動部２１に出力する。
【００７２】
使用者は、シャッタースピード（電荷蓄積時間）やフレームレートを設定する場合も、ＩＳＯ感度の設定と同じような操作を行う。すなわち、使用者は、撮像条件としてシャッタースピード又はフレームレートを設定する場合は、シャッター５２３（すなわちタッチ領域５２３ａ）又はフレームレート５２４（すなわちタッチ領域５２４ａ）をタッチする。第２タッチパネル５４は、使用者によりタッチされたタッチ領域５２３ａ又は５２４ａに対応する検出信号をシステム制御部７０に出力する。表示制御部７１は、シャッター５２３又はフレームレート５２４の横にシャッタースピード又はフレームレートの値を複数表示させる。使用者は、シャッタースピード又はフレームレートの値のいずれかをタッチする。変更部７２は、使用者によりタッチされたシャッタースピード又はフレームレートの値を設定する。具体的には、変更部７２は、使用者により選択されたシャッタースピード又はフレームレートを指示する指示信号を駆動部２１に出力する。
【００７３】
駆動部２１は、使用者により選択された領域５１１に対応する画素領域１１３Ａの領域をブロック単位で指示する指示信号を受け取る。また、駆動部２１は、使用者により選択された撮像条件を指示する指示信号を受け取る。これに応じて、駆動部２１は、領域５１１に対応する画素領域１１３Ａの領域において、指示された撮像条件（シャッタースピード、ＩＳＯ感度、フレームレート）で撮像するように撮像部２０を駆動する。なお、一般的には、静止画を撮像する場合はシャッタースピードが設定され、動画を撮像する場合はフレームレートが設定される。
【００７４】
このように駆動部２１が領域５１１に対応する画素領域１１３Ａの領域の撮像条件が変更されると、画像表示領域５１０内の領域５１１に表示される画像（領域５１１におけるライブビュー画像）が変化する。例えば、ＩＳＯ感度を高くすると、被写体が少ない光量でも明るく撮像される。また、ライブビュー画像の暗い部分が明るくなる。また、シャッタースピードを高くすると、動いている被写体のブレが少なくなる。また、フレームレートを高くすると、動画における被写体の動きが滑らかになる。
【００７５】
このように、使用者は、領域を選択し、選択した領域における撮像条件を設定することにより、ライブビュー画像において、撮像条件に変更に応じて変化する選択した領域の画像を確認することができる。この場合、使用者が選択した撮像条件が適正露出に合った条件でないこともある。しかし、使用者は、撮像条件の変更によって露出オーバーや露出アンダーになることを認識することもできる。また、使用者は、どのような撮像条件を変更するとどのように画像が変化するかを認識することができる。従って、使用者は、撮影を行う前に撮像条件を変更することによって画像を作成した上で撮影を行うことができる。
【００７６】
以上のようなステップＳ１〜Ｓ６の処理は、使用者による操作部５５のシャッター（動画を撮影する場合は録画開始ボタン）の半押し操作（ステップＳ８）が行われるまで繰り返し実行される。図１２に示す例では、画像表示領域５１０のうち領域５１１以外の領域５１２が選択されている。そして、使用者によるＩＳＯ感度５２２、シャッター５２３、フレームレート５２４の値の選択に応じて、画像表示領域５１０内の領域５１２に表示されるライブビュー画像が変化する。
【００７７】
図１２に示す領域５１２は、滝の領域（図１２中の白線が引かれている領域）である。具体的には、領域５１２は、ブロックＢ（１，１）〜Ｂ（２，１），Ｂ（１，２）〜Ｂ（３，２），Ｂ（１，３）〜Ｂ（４，３），Ｂ（１，４）〜Ｂ（５，４），Ｂ（１，５）〜Ｂ（８，５），Ｂ（１，６）〜Ｂ（８，６）からなる領域である。
【００７８】
変更部７２は、撮影モードとしてオートモードが選択されたと判定した場合は（ステップＳ５のＹＥＳ）、使用者により選択された領域５１１の撮像条件を自動的に設定する（ステップＳ７）。このとき、変更部７２は、ライブビュー画像における領域５１１内の画像のコントラストと色変化のうちの少なくとも一方に基づいて撮像条件を変更する。例えば、変更部７２は、領域５１１内の画像の明部と暗部のコントラストが最大となるように撮像条件（ＩＳＯ感度、シャッタースピード、フレームレート）を変更する。また、変更部７２は、領域５１１の画像の色変化が最も鮮やかとなるように撮像条件（ＩＳＯ感度、シャッタースピード、フレームレート）を変更する。また、変更部７２は、領域５１１内の画像のコントラストが最大となり、領域５１１内の画像の色変化が最も鮮やかになるように撮像条件を変更する。
【００７９】
撮影モードとしてオートモードが選択された場合の処理（ステップＳ１〜Ｓ５，Ｓ７）は、使用者による操作部５５のシャッターの半押し操作（ステップＳ８）が行われるまで繰り返し実行される。例えば、領域５１２においても、変更部７２は、領域５１２内の画像のコントラストと色変化のうちの少なくとも一方に基づいて撮像条件を自動的に設定する（ステップＳ７）。変更部７２が変更したＩＳＯ感度、シャッタースピード、又はフレームレートの値に応じて、画像表示領域５１０内の領域５１１，５１２に表示されるライブビュー画像が変化する。
【００８０】
なお、図９〜図１２において図示していないが、使用者が設定可能な領域ごとの撮像条件として、ＩＳＯ感度、シャッタースピード、及びフレームレートに限られない。例えば、上述した間引き率、画素信号を加算する加算行数又は加算列数、デジタル化のビット数なども領域ごとの撮像条件として設定可能に構成してもよい。また、色信号処理、ホワイトバランス調整、階調調整、圧縮率などのパラメータも領域ごとの撮像条件として設定可能に構成してもよい。
【００８１】
システム制御部７０は、シャッター又は録画開始ボタンの半押し操作（ＳＷ１の操作）が行われたか否かを判定する（ステップＳ８）。半押し操作は、撮影準備を開始させる指示として用いられる。なお、図８において図示していないが、システム制御部７０は、自動的に焦点調節を行うオートフォーカス（ＡＦ）の制御などを実行する。
【００８２】
次に、システム制御部７０は、シャッター又は録画開始ボタンの全押し操作（ＳＷ２の操作）が行われたか否かを判定する（ステップＳ９）。全押し操作が行われたと判定した場合は、撮像制御部７４は、撮像素子１００に撮像を実行させる撮像処理を行う（ステップＳ１０）。図１３は、第１実施形態に係る撮像処理の一例を示すフローチャートである。撮像制御部７４は、まず、使用者により又は自動的にＩＳＯ感度が所定値以上に設定されているか否かを判定する（ステップＳ１１）。撮像制御部７４は、ＩＳＯ感度が所定値以上に設定されていないと判定した場合は、撮像部２０に対して通常の撮像を実行させる（ステップＳ１２）。すなわち、通常通り１回の撮像で静止画を取得する。このとき、上記のように選択された領域ごとの撮像条件により撮像が行われる。
【００８３】
一方、撮像制御部７４は、ＩＳＯ感度が所定値以上に設定されていると判定した場合は、撮像部２０に対して複数回の連続撮像を実行させる（ステップＳ１３）。例えば、撮像制御部７４は、駆動部２１に指示信号を出力することにより、撮像部２０に対して高速に５回撮像を実行させる。この場合も、上記のように選択された領域ごとの撮像条件により撮像が行われる。例えば、既に設定されているシャッタースピードの時間中に複数回の撮像を実行する。
【００８４】
また、撮像制御部７４は、画像処理部３０に対して複数回の連続撮像された複数枚の画像を合成するように指示する（ステップＳ１４）。画像処理部３０において、合成処理部３１は、撮像制御部７４からの指示に基づいて、複数枚の画像を合成して静止画を生成する。ＩＳＯ感度を高くするとノイズが生じやすくなるが、上記したように、高速に撮像された複数枚の画像を合成することにより、ノイズが低減される。
【００８５】
なお、ステップＳ１０の撮像処理において、動画を撮像する場合は、撮像制御部７４は、図１３のステップＳ１１に示す処理を行わずに、通常の撮像を実行する（ステップＳ１２）。すなわち、動画の撮像の場合は、ステップＳ１３に示す複数回の連続撮像や複数枚の画像の合成は行わない。
【００８６】
図９〜図１２に示した表示画面５００の表示例では、画像表示領域５１０に設定された各ブロックは大きな領域のブロックであった。しかし、図９〜図１２に示したブロックより小さい領域のブロックが画像表示領域５１０に設定されてもよい。図１４〜図１６は、画像表示領域に多い数のブロックが設定される場合の表示画面の表示例を示す図である。図１４〜図１６に示す例では、ブロックは単位グループと同じ領域又は数個の単位グループを含む領域とされている。
【００８７】
使用者は、領域を選択する場合、設定５２１をタッチした後、図１４に示すように、選択する領域の境界に沿って指をなぞっていく。このような選択方法により、よりきめ細かく領域を選択することができる。撮像条件を変更する操作は、図１０〜図１２で説明した場合と同様である。すなわち、図１４に示すように、使用者は、領域５１３を選択する。この領域５１３は、滝の後ろの背景の領域（図１４中の白線が引かれている領域）である。そして、使用者は、ＩＳＯ感度５２２をタッチすると、図１５に示すように、ＩＳＯ感度５２２の横にＩＳＯ感度の値が複数現れる。使用者は、ＩＳＯ感度の値のいずれかをタッチしてＩＳＯ感度を設定する。また、使用者は、シャッター５２３やフレームレート５２４をタッチすることにより、シャッタースピードやフレームレートを設定する。
【００８８】
また、使用者は、設定５２１をタッチした後、図１６に示すように、選択する領域の境界に沿って指をなぞっていくことにより、領域５１４を選択する。そして、上記したのと同様に、使用者は、ＩＳＯ感度５２２、シャッター５２３、及びフレームレート５２４をタッチ操作して、領域５１４におけるＩＳＯ感度、シャッタースピード、及びフレームレートを設定する。また、図９〜図１２で説明した場合と同様に、撮影モード５２５をタッチして撮影モードを変更することにより、領域ごとの撮像条件の変更を自動で行うように設定することも可能である。
【００８９】
以上に説明したように、第１実施形態では、撮像素子１００を有し、第１領域と第２領域とを撮像可能な撮像部２０と、撮像部２０により撮像された第１領域と第２領域とに対応するライブビュー画像を表示部５０に表示させる制御部７１と、ライブビュー画像の第１領域の蓄積条件と、第２領域の蓄積条件とを異ならせる変更部７２と、を含む。このような構成によれば、領域ごとの蓄積条件の変更に対応する画像の変化をライブビュー画像において確認することができる。従って、使用者は、静止画又は動画の撮像を開始する前に、領域ごとの撮像条件を変更して画像を作成することができる。このような処理は画像の撮像前編集が行われるものといえる。
【００９０】
また、変更部７２は、第１領域の蓄積時間と、第２領域の蓄積時間とを異ならせるように構成されている。従って、使用者は、領域ごとに蓄積時間（シャッタースピード）を異ならせて画像を編集し、編集した画像を確認した上で撮像を行うことができる。また、変更部７２は、第１領域のフレームレートと、第２領域のフレームレートとを異ならせるように構成されている。従って、使用者は、領域ごとにフレームレートを異ならせて画像を編集し、編集した画像を確認した上で撮像を行うことができる。また、変更部７２は、第１領域のゲインと、第２領域のゲインとを異ならせるように構成されている。従って、使用者は、領域ごとにゲイン（ＩＳＯ感度）を異ならせて編集し、編集した画像を確認した上で撮像を行うことができる。
【００９１】
また、変更部７２は、ライブビュー画像のコントラストと色変化との少なくとも一方に基づいて第１領域の蓄積条件と、第２領域の蓄積条件とを異ならせるように構成されている。従って、コントラストと色変化との少なくとも一方に基づいて、領域ごとに最適な蓄積条件を自動的に設定することができる。
【００９２】
また、ライブビュー画像の第１領域と第２領域とを選択可能な選択部７３を備えている。従って、使用者が任意の領域を選択することができる。または、選択部７３がライブビュー画像の被写体に応じた領域を自動的に選択し、選択した領域を使用者に提供することができる。また、選択部７３によって選択された領域の少なくとも一部を複数回撮像させて、合成する画像合成部７４を備えているので、ノイズを低減することができる。この構成は、特に、ゲインを高くした場合に有効に作用する。
【００９３】
また、選択部７３は、ライブビュー画像の一部を選択する第１操作部５２を有するので、使用者はライブビュー画像を視認しながら領域を選択することができる。また、第１操作部５２は、表示部５０に形成されたタッチパネルを有するので、使用者はタッチパネルのタッチ操作で領域を選択することができる。このため、簡単な操作で容易に領域を選択することができる。
【００９４】
また、メニュー（操作ボタン表示領域５２０における設定５２１、ＩＳＯ感度５２２、シャッター５２３、フレームレート５２４、撮影モード５２５）を選択する第２操作部５４を備えるので、使用者はタッチパネルのタッチ操作で撮像条件などを選択することができる。このため、簡単な操作で容易に撮像条件などを選択することができる。また、制御部７１は、ゲインに関するメニュー（ＩＳＯ感度５２２）、蓄積時間に関するメニュー（シャッター５２３）、及びフレームレートに関するメニュー（フレームレート５２４）のうち、少なくとも１つを表示するので、ゲイン、蓄積時間、及びフレームレートの少なくとも１つをタッチパネルのタッチ操作で選択することができる。また、制御部７１は、メニューをライブビュー画像の近傍に表示するので、撮像条件の変更に対応するライブビュー画像の変化を確認しながら撮像条件を変更することができる。従って、使用者による操作性が向上する。
【００９５】
なお、図５に示す第１実施形態に係る電子機器１は、例えば撮像機能を備えたデジタルカメラ、スマートフォン、携帯電話、パーソナルコンピュータなどの機器で構成される。また、図５に示す第１実施形態に係る電子機器１において、表示部５０は電子機器の外部に設けられる構成であってもよい。この場合、システム制御部７０及び表示部５０のそれぞれには、有線又は無線で信号（画像データや制御信号など）を送受信する通信部が設けられる。また、画像処理部３０とシステム制御部７０は一体で構成されてもよい。この場合、１つのＣＰＵを有するシステム制御部が制御プログラムに基づいて処理を実行することにより画像処理部３０の機能とシステム制御部７０の機能を担う。
【００９６】
＜第２実施形態＞
上記した第１実施形態では、画像表示領域５１０内における領域の選択はマニュアルで行うように構成していたが、第２実施形態では、領域の選択も自動（オート）で行うことができる。また、この第２実施形態では、移動する被写体の動きに応じて領域及び撮像条件（蓄積条件を含む）を設定する。また、この第２実施形態では、使用者によって選択された領域又は自動的に選択された領域のみ撮像する機能も備える。
【００９７】
図１７は、第２実施形態における画像処理部及びシステム制御部の機能ブロック図である。図１７に示すように、画像処理部３０Ａは合成処理部３１及び検出部３２を含んでいる。この合成処理部３１は、図７で説明した構成と同様であるため説明を省略する。検出部３２は、移動する被写体（例えば、図９などに示す滝）を検出する処理を行う。また、システム制御部７０の構成についても、図７で説明した構成と同様であるため説明を省略する。なお、画像処理部３０及びシステム制御部７０以外の構成（レンズ部１０、撮像部２０、ワークメモリ４０、表示部５０、記録部６０）は、図５に示した構成と同様である。
【００９８】
次に、第２実施形態に係る撮影動作について説明する。図１８は、第２実施形態に係るシステム制御部が実行する撮影動作を説明するためのフローチャートである。図１８に示す処理において、電子機器１に電源が投入された後、使用者が撮影を開始するために操作部５５などの操作を行うと、システム制御部７０が撮影動作を開始する（ステップＳ１）。
【００９９】
撮影が開始されると、表示制御部７１は、撮像部２０で撮像されたライブビュー画像を第１表示部５１（画像表示領域５１０）に表示する（ステップＳ２）。使用者は、撮影モードを設定する。この場合は、撮影モード５２５（すなわちタッチ領域５２５ａ）をタッチする。そして、撮影モードのうちマニュアルモード（手動モード）かオートモード（自動モード）かを選択する。
【０１００】
システム制御部７０は、撮影モード５２５としてオートが選択されたか否かを判定する（ステップＳ２１）。撮影モードとしてオートモードが選択されていないと判定した場合、すなわち、撮影モードとしてマニュアルモードが選択されたと判定した場合は、選択部７３は、図８に示すステップＳ３及びＳ４と同様の処理を行う。続いて、変更部７２は、図８に示すステップＳ６と同様の処理を行う。
【０１０１】
一方、撮影モードとしてオートモードが選択されたと判定した場合、選択部７３は、画像表示領域５１０に表示しているライブビュー画像に基づいて、領域及び撮像条件を自動的に設定する（ステップＳ２２）。
【０１０２】
図１９は、領域及び撮像条件の自動設定処理（ステップＳ２２）の一例を示すフローチャートである。図１９に示すように、システム制御部７０は、画像処理部３０に対して移動被写体の検出を指示する（ステップＳ２２ａ）。検出部３２は、ライブビュー画像から時系列的に得られる複数の画像データを比較して、移動被写体と非移動被写体（移動していない被写体）とを検出する。そして、検出部３２は、検出結果を画像データとともにシステム制御部７０に出力する。選択部７３は、検出部３２の検出結果に基づいて、移動被写体の領域と非移動被写体の領域とを設定する（ステップＳ２２ｂ）。
【０１０３】
また、変更部７２は、検出部３２の検出結果に基づいて、移動被写体の領域と非移動被写体の領域の撮像条件を設定する（ステップＳ２２ｃ）。例えば、移動被写体の領域については、ＩＳＯ感度を高くするとともに、シャッタースピードを速くする。また、動画を撮像している場合は、移動被写体の領域については、フレームレートを非移動被写体の領域のフレームレートよりも高くする。また、非移動被写体の領域については、ＩＳＯ感度を移動被写体の領域のＩＳＯ感度よりも低くするとともに、シャッタースピードを移動被写体の領域のシャッタースピードよりも遅くする。また、動画を撮像している場合は、非移動被写体の領域については、フレームレートを移動被写体の領域のフレームレートよりも低くする。
【０１０４】
なお、図１９に示す領域及び撮像条件の自動設定処理は一例であって、他の方法により領域及び撮像条件を設定するようにしてもよい。例えば、検出部３２により移動被写体が検出されなかった場合は、選択部７３は、ライブビュー画像における明部と暗部のコントラストや色変化に基づいて領域の境界を特定して領域を設定するようにしてもよい。また、第１実施形態で説明したように、変更部７２は、ライブビュー画像における領域５１１内の画像のコントラストと色変化のうちの少なくとも一方に基づいて撮像条件を変更するようにしてもよい。このような領域及び撮像条件を設定する処理と、図１９に示す処理とを組み合わせて適用してもよい。
【０１０５】
システム制御部７０は、第１実施形態と同様に、シャッター又は録画開始ボタンの半押し操作（ＳＷ１の操作）が行われたか否かを判定する（ステップＳ８）。半押し操作が行われた場合は、システム制御部７０は、シャッター又は録画開始ボタンの全押し操作（ＳＷ２の操作）が行われたか否かを判定する（ステップＳ９）。全押し操作が行われたと判定した場合は、撮像制御部７４は、撮像素子１００に撮像を実行させる撮像処理を行う（ステップＳ２３）。
【０１０６】
図２０は、第２実施形態に係る撮像処理の一例を示すフローチャートである。撮像制御部７４は、使用者により領域撮像モードが設定されているか否かを判定する（ステップＳ３１）。ここで、領域撮像モードは、使用者により選択された領域又は自動的に設定された領域についてのみ撮像を行うモードである。使用者は、撮像処理を実行する前に、操作部５５や第２タッチパネル５４（例えば、撮影モード５２５のタッチ操作）などを操作することにより領域撮像モードを設定する。
【０１０７】
撮像制御部７４は、領域撮像モードが設定されていないと判定した場合は、画像表示領域５１０のすべての領域について撮像を実行させる（ステップＳ３２）。この場合は、例えば、図１３のステップＳ１１〜Ｓ１４と同様の処理が行われる。一方、撮像制御部７４は、領域撮像モードが設定されていると判定した場合は、画像表示領域５１０において選択された領域についてのみ撮像を実行させる（ステップＳ３３）。このとき、選択された領域に設定された撮像条件で撮像が行われる。
【０１０８】
図２１は、選択された領域のみ撮像される場合の表示画面の表示例を示す図である。図２１に示すように、滝の領域５１３が選択された場合は、その領域５１３のみ撮像が行われ、その他の領域については撮像が行われない。
【０１０９】
以上に説明したように、第２実施形態では、移動被写体を検出する検出部３２を備え、変更部７２は、検出部３２の検出結果に応じて、第１領域の蓄積条件と、第２領域の蓄積条件とを異ならせるように構成されている。従って、移動被写体の動きに適した撮像条件を設定することができる。また、選択部７３は、検出部３２の検出結果に応じて、第１領域と第２領域とを設定するように構成されている。従って、移動被写体の領域を確実に抽出することができる。また、第２実施形態においても、第１実施形態で説明した効果と同様の効果を奏する。
【０１１０】
また、この第２実施形態では、使用者によって選択された領域又は自動的に選択された領域のみ撮像する機能を備える。従って、使用者が撮像したい領域についてだけ撮像を行うことができる。このような構成によれば、使用者は例えば利用価値の高い様々な素材画像を取得することができる。
【０１１１】
なお、第２実施形態においても、使用者が設定可能な領域ごとの撮像条件として、ＩＳＯ感度、シャッタースピード、及びフレームレートに限られない。例えば、上述した間引き率、画素信号を加算する加算行数又は加算列数、デジタル化のビット数なども領域ごとの撮像条件として設定可能に構成してもよい。また、色信号処理、ホワイトバランス調整、階調調整、圧縮率などのパラメータも領域ごとの撮像条件として設定可能に構成してもよい。
【０１１２】
また、第２実施形態において、画像処理部３０Ａは、ＣＰＵが制御プログラムに基づいて処理を実行することにより実現される。
【０１１３】
＜第３実施形態＞
第３実施形態では、上記した第１実施形態における電子機器１を、撮像装置１Ａと電子機器１Ｂとに分離した構成としている。
【０１１４】
図２２は、第３実施形態に係る撮像装置及び電子機器の構成を示すブロック図である。図２２に示す構成において、撮像装置１Ａは、被写体の撮像を行う装置である。この撮像装置１Ａは、レンズ部１０、撮像部２０、画像処理部３０、ワークメモリ４０、操作部５５、記録部６０、及び第１システム制御部７０Ａを備える。なお、撮像装置１Ａのうち、１０、撮像部２０、画像処理部３０、ワークメモリ４０、操作部５５、及び記録部６０の構成は、図５に示した構成と同様である。従って、同一構成には同一符号を付し、重複する説明を省略する。
【０１１５】
また、電子機器１Ｂは、画像（静止画、動画、ライブビュー画像）の表示を行う装置である。この電子機器１Ｂは、表示部５０及び第２システム制御部（制御部）７０Ｂを備える。なお、電子機器１Ｂのうちの表示部５０の構成は、図５に示した構成と同様である。従って、同一構成には同一符号を付し、重複する説明を省略する。
【０１１６】
第１システム制御部７０Ａは、第１通信部７５Ａを有している。また、第２システム制御部７０Ｂは、第２通信部７５Ｂを有している。第１通信部７５Ａと第２通信部７５Ｂとは、互いに有線又は無線で信号を送受信する。また、第１システム制御部７０Ａは、図７に示す構成のうち、例えば撮像制御部７４に相当する構成のみ有している。また、第２システム制御部７０Ｂは、図７に示す構成のうち、例えば表示制御部７１、変更部７２、及び選択部７３に相当する構成を有している。
【０１１７】
このような構成において、第１システム制御部７０Ａは、第１通信部７５Ａを介して画像データ（画像処理部３０が画像処理した画像データ、記録部６０に記録されている画像データ）を第２通信部７５Ｂに送信する。第２システム制御部７０Ｂは、第２通信部７５Ｂにおいて受信した画像データを表示部５０に表示させる。また、第２システム制御部７０Ｂは、予め設定されているメニュー画像を第２表示部５３に表示させる。
【０１１８】
また、第２システム制御部７０Ｂは、使用者による第２タッチパネル５４のタッチ操作に応じて、又は自動的に、撮像条件（蓄積条件を含む）を変更する制御を行う。また、第２システム制御部７０Ｂは、使用者による第１タッチパネル５２のタッチ操作に応じて、又は自動的に、画像表示領域５１０内の領域をブロック単位で選択する制御を行う。また、第１システム制御部７０Ａは、使用者によるシャッターボタン（電子機器１Ｂ側に設けられた静止画や動画の撮像開始を指示する操作部）の操作に応じて撮像の制御を実行する。
【０１１９】
図７に示す構成（表示制御部７１、変更部７２、選択部７３、及び撮像制御部７４）は、第１システム制御部７０Ａと第２システム制御部７０Ｂのいずれに設けられてもよい。図７に示すすべての構成は、第１システム制御部７０Ａ又は第２システム制御部７０Ｂに設けられてもよく、また図７に示す構成の一部が第１システム制御部７０Ａに設けられ、図７に示す構成の一部以外の構成が第２システム制御部７０Ｂに設けられてもよい。
【０１２０】
なお、撮像装置１Ａは、例えば撮像機能と通信機能を備えたデジタルカメラ、スマートフォン、携帯電話、パーソナルコンピュータなどで構成され、電子機器１Ｂは、例えば通信機能を備えたスマートフォン、携帯電話、携帯型パーソナルコンピュータなどの携帯端末で構成される。
【０１２１】
図２２に示す画像処理部３０は、ＣＰＵが制御プログラムに基づいて処理を実行することにより実現される。また、図２２に示す第１システム制御部７０Ａは、ＣＰＵが制御プログラムに基づいて処理を実行することにより実現される。また、図２２に示す第２システム制御部７０Ｂは、ＣＰＵが制御プログラムに基づいて処理を実行することにより実現される。
【０１２２】
以上に説明したように、第３実施形態では、撮像素子１００を有し、第１領域と第２領域とを撮像する撮像部２０が撮像したライブビュー画像を表示可能な表示部５０と、撮像部２０により撮像された第１領域と第２領域とに対応するライブビュー画像が表示部５０に表示されている際に、ライブビュー画像の撮像条件を設定するメニューを表示部５０に表示させる制御部７５Ｂと、を含む。このような構成によれば、第１実施形態で説明した効果に加え、スマートフォンなどの携帯端末を用いて撮像装置１Ａで撮像されているライブビュー画像を編集し、編集したライブビュー画像を確認した上で撮像を行うことができる。
【０１２３】
なお、図２２に示す構成において、画像処理部３０と第１システム制御部７０Ａとは一体で構成されてもよい。この場合、１つのＣＰＵを有するシステム制御部が制御プログラムに基づいて処理を行うことにより画像処理部３０の機能と第１システム制御部７０Ａの機能を担う。
【０１２４】
＜第４実施形態＞
図６、図９〜図１２、図１４〜図１６、及び図２１示す操作ボタン表示領域５２０において、各ボタン５２１〜５２５は、それぞれ予め決められた順序で配置されていた。すなわち、設定５２１は一番上に配置され、ＩＳＯ感度５２２は上から２番目（すなわち設定５２１の下）に配置され、シャッター５２３は上から３番目（すなわちＩＳＯ感度５２２の下）に配置され、フレームレート５２４は上から４番目（すなわちシャッター５２３の下）に配置され、撮影モード５２５は一番下に配置されていた。一方、第４実施形態では、表示制御部７１が領域内の被写体に応じて各ボタン５２１〜５２５の配置を変更して表示する。また、第４実施形態では、表示制御部７１が優先度の高いボタンを他のボタンの表示態様と異なる表示態様で表示する。
【０１２５】
図２３は、第４実施形態における表示画面の表示例を示す図である。図２３に示す例では、設定５２１は一番上に配置され、シャッター５２３は上から２番目（すなわち設定５２１の下）に配置され、フレームレート５２４は上から３番目（すなわちシャッター５２３の下）に配置され、ＩＳＯ感度５２２は上から４番目（すなわちフレームレート５２４の下）に配置され、撮影モード５２５は一番下に配置されている。また、図２３に示すように、シャッター５２３は、他のボタン（設定５２１、ＩＳＯ感度５２２、フレームレート５２４、撮影モード５２５）よりも大きな領域のボタンとなっている。
【０１２６】
また、第２タッチパネル５４において、タッチ領域５２１ａが設定５２１上に重なるように形成されている。また、タッチ領域５２３ａがシャッター５２３上に重なるように形成されている。また、タッチ領域５２４ａがフレームレート５２４上に重なるように形成されている。また、タッチ領域５２２ａがＩＳＯ感度５２２上に重なるように形成されている。また、タッチ領域５２５ａが撮影モード５２５上に重なるように形成されている。なお、タッチ領域５２３ａは、シャッター５２３の領域の大きさに合わせて、他のボタンの領域よりも大きな領域となっている。
【０１２７】
次に、画像処理部３０及びシステム制御部７０による各ボタン５１２〜５２５の配置の変更処理について説明する。図８及び図１８のステップＳ６を実行するときに、システム制御部７０は、画像処理部３０に対して移動被写体の検出を指示する。検出部３２は、ライブビュー画像から時系列的に得られる複数の画像データを比較して、移動被写体と非移動被写体とを検出する。そして、検出部３２は、検出結果を画像データとともにシステム制御部７０に出力する。
【０１２８】
表示制御部７１は、検出部３２の検出結果に基づいて、選択部７３により選択された領域内に移動被写体が含まれているか否かを判定する。表示制御部７１は、選択部７３により選択された領域内に移動被写体が含まれていると判定した場合は、図２３に示すように、シャッタースピードを設定するためのボタンであるシャッター５２３を上から２番目の位置に表示させる。また、表示制御部７１は、シャッター５２３を他のボタンよりも大きく表示させる。
【０１２９】
シャッタースピードの変更により、移動被写体の写り方が変化する。例えば、移動被写体が滝である場合、シャッタースピードを高く（速く）することにより、滝の水の流れが瞬間的に止まったような画像となる。一方、シャッタースピードを低く（遅く）することにより、滝の水の流れが糸に見えるような画像となる。このように、移動被写体については、シャッタースピードが他の撮像条件よりも被写体の写り方に大きく影響する。従って、表示制御部７１は、領域内に移動被写体が含まれている場合、シャッタースピードの優先度が他の撮像条件よりも高いと判断する。そして、表示制御部７１は、シャッター５２３の位置を上に移動させるとともに、シャッター５２３を大きな領域のボタンとして表示させる。これにより、優先度の高いボタンが使用者にとって操作しやすい位置に配置され、使用者の操作性が向上する。また、優先度の高いボタン（つまり撮像条件）が他のボタン（つまり撮像条件）よりも目立つようになり、使用者に優先度の高いボタンの操作を促すことができる。
【０１３０】
なお、動画の場合は、フレームレートが移動被写体の動きの滑らかさに大きく影響する。従って、表示制御部７１は、移動被写体の動画を撮像する場合は、フレームレートの優先度が他の撮像条件よりも高いと判断する。そして、表示制御部７１は、フレームレート５２４の位置を上に移動させるとともに、フレームレート５２４を大きな領域のボタンとして表示させる。
【０１３１】
上述した例では、表示制御部７１は、領域内の被写体が移動被写体であるか否かによってボタンの配置や表示態様（大きさ）を変更するようにしていたが、このような構成に限らない。例えば、図８及び図１８のステップＳ６を実行するときに、システム制御部７０は、画像処理部３０に対して画像の明度の検出を指示する。画像処理部３０は、ライブビュー画像に基づいて領域内の画像の明度を検出する。そして、画像処理部３０は、検出結果を画像データとともにシステム制御部７０に出力する。
【０１３２】
表示制御部７１は、画像処理部３０による明度の検出結果に基づいて、選択部７３により選択された領域内の画像の明度が所定範囲内の値であるか否かを判定する。表示制御部７１は、領域内の画像の明度が所定範囲内の値でないと判定した場合は、ＩＳＯ感度を設定するためのボタンであるＩＳＯ感度５２２を上から２番目の位置に表示させる。また、表示制御部７１は、ＩＳＯ感度５２２を他のボタンよりも大きく表示させる。
【０１３３】
ＩＳＯ感度の変更により、ライブビュー画像の暗い部分が明るくなり、明るい部分が暗くなる。領域内の明度が所定範囲内の値でない場合、すなわち、領域内の画像が明るすぎる場合や暗すぎる場合は、ＩＳＯ感度を変更することにより最適露出に近づけることができる。従って、表示制御部７１は、領域内の画像が所定範囲内の値でない場合、ＩＳＯ感度の優先度が他の撮像条件よりも高いと判断する。そして、表示制御部７１は、ＩＳＯ感度５２２の位置を上に移動させるとともに、ＩＳＯ感度５２２を大きな領域のボタンとして表示させる。これにより、優先度の高いボタンが使用者にとって操作しやすい位置に配置され、使用者の操作性が向上する。また、優先度の高いボタン（つまり撮像条件）が他のボタン（つまり撮像条件）よりも目立つようになり、使用者に優先度の高いボタンの操作を促すことができる。
【０１３４】
なお、優先度の高いボタンを目立たせるような表示態様として、ボタンを大きくするほかに、ボタンの色を変更したり、ボタンを点滅表示させたりするような表示態様などでもよい。また、優先度の高いボタンが使用者により押される前に、そのボタンの横に撮像条件の値を複数表示させることにより、優先度の高いボタンを目立たせるようにしてもよい。また、ボタンの配置だけを変更する構成でもよく、また、ボタンの表示態様だけを変更する構成でもよい。
【０１３５】
また、使用者がボタンを操作する順序に応じて、ボタンの配置を変更し、ボタンの表示態様を変更するようにしてもよい。例えば、使用者は、設定５２１を押した後に領域を選択する。次に、使用者は、撮影モード５２５を押して撮影モードとしてマニュアルモードを選択する。その後に、使用者は、領域ごとに撮像条件を変更する。このような場合、表示制御部７１は、設定５２１を一番上に配置するとともに設定５２１を大きくする。次に、表示制御部７１は、撮影モード５２５を一番上に配置するとともに撮影モード５２５を大きくする。その後、表示制御部７１は、領域ごとの被写体（画像）に応じて、ＩＳＯ感度５２２、シャッター５２３、及びフレームレート５２４のいずれかを一番上に配置し、さらに、その一番上のボタンを大きくする。このように、使用者の操作手順に沿った順序でボタンの配置や表示態様を変更することにより、使用者による操作の利便性が向上する。
【０１３６】
以上、本発明を実施の形態を用いて説明したが、本発明の技術的範囲は、上記実施の形態に記載の範囲には限定されない。本発明の趣旨を逸脱しない範囲で、上記実施の形態に、多様な変更または改良を加えることが可能である。また、上記の実施形態で説明した要件の１つ以上は、省略されることがある。そのような変更または改良、省略した形態も本発明の技術的範囲に含まれる。また、上記した実施形態や変形例の構成を適宜組み合わせて適用することも可能である。
【０１３７】
例えば、上記した第１実施形態及び第２実施形態において、電子機器１は、撮像部２０と、制御部７１及び変更部７２を含むシステム制御部７０とを備えていれば、レンズ部１０や記録部６０などを備えていなくてもよい。すなわち、これらの構成は電子機器１と別構成とされていてもよい。また、上記した第３実施形態において、撮像装置１Ａについても、レンズ部１０や記録部６０などは別構成とされていてもよい。
【０１３８】
また、上記した各実施形態において、カラーフィルタ１０２の配列がベイヤー配列とされていたが、この配列以外の配列であってもよい。また、単位グループ１３１を形成する画素の数は、少なくとも１つの画素を含んでいればよい。また、ブロックも少なくとも１画素を含んでいればよい。従って、１画素ごとに異なる撮像条件で撮像を実行することも可能である。
【０１３９】
また、上記した各実施形態において、駆動部２１は、一部又はすべての構成が撮像チップ１１３に搭載されてもよいし、一部又はすべての構成が信号処理チップ１１１に搭載されてもよい。また、画像処理部３０の一部の構成が撮像チップ１１３又は信号処理チップ１１１に搭載されてもよい。また、システム制御部７０の一部の構成が撮像チップ１１３又は信号処理チップ１１１に搭載されてもよい。
【０１４０】
また、上記した各実施形態において、撮像条件として、ＩＳＯ感度、シャッタースピード、フレームレートのすべてが変更可能に構成されているが、これらの少なくとも１つを変更可能であればよい。また、撮像条件が自動的に設定される場合、最適露出となるようなベストモードの撮像条件を使用者に提示するようにしてもよく、また撮像条件が段階的に変更されたライブビュー画像を使用者に提示するようにしてもよい。
【０１４１】
また、上記した各実施形態において、操作ボタン表示領域５２０は、画像表示領域５１０の近傍に設けられていたが、画像表示領域５１０の近傍でない位置に設けられてもよい。また、操作ボタン表示領域５２０は、画像表示領域５１０と重畳した位置に配置されてもよい。また、使用者が第２タッチパネル５４をタッチ操作することに代えて、操作部５５を操作するようにしてもよい。
【０１４２】
また、上記した各実施形態において、使用者が第１タッチパネル５２を操作して領域を選択し、第２タッチパネル５４を操作して撮像条件などを設定するように構成されていた。しかし、このような構成に限られず、使用者は操作部５５を操作して領域を選択し、撮像条件などを設定するように構成されてもよい。
【０１４３】
また、上記した第１実施形態では、使用者は、領域についてはマニュアルで設定し、撮像条件はマニュアルで設定するか自動的に設定するかを撮影モードを設定することにより選択する。また、上記した第２実施形態では、使用者は、領域及び撮像条件についてマニュアルで設定するか自動的に設定するかを撮影モードを設定することにより選択する。しかし、使用者が領域及び撮像条件のすべてをマニュアルだけで設定するようにしてもよい。また、領域については自動的に設定し、撮像条件についてはマニュアルで設定するか自動的に設定するかを撮影モードを設定することにより選択するようにしてもよい。
【０１４４】
また、上記した各実施形態では、ブロックの領域の大きさが予め設定されている場合について説明したが、使用者がブロックの領域の大きさを設定するように構成してもよい。また、上記した第１実施形態では、画像表示領域５１０内に設定されるブロックの数が少ない場合（図９〜図１２）と、画像表示領域５１０内に設定されるブロックの数が多い場合（図１４〜図１６）とを例示した。しかし、システム制御部７０（選択部７３）が大きな領域のブロックと小さな領域のブロックとを自動的に設定するようにしてもよい。例えば、システム制御部７０（選択部７３）が領域の境界を自動的に認識する。次に、システム制御部７０（選択部７３）は、領域の境界が大きな領域のブロックを横断する場合は、大きな領域のブロック内に小さな領域のブロックを設定する。そして、システム制御部７０は、小さな領域のブロック単位で、領域の境界に沿って領域を設定する。
【０１４５】
また、上記した各実施形態において、第１表示部５１に表示しているライブビュー画像の撮像条件と、シャッター操作に応じて撮像するときの撮像条件とは同じ条件であることを想定している。ライブビュー画像において実際に撮像される画像を確認することができるようにするためである。しかし、ライブビュー画像の撮像条件と実際に撮像される画像の撮像条件とを異ならせてもよい。この場合、使用者がライブビュー画像に基づいて実際に撮像される画像を認識できる程度の撮像条件の変更とされる。
【符号の説明】
【０１４６】
１，１Ｂ…電子機器、１Ａ…撮像装置、２０…撮像部、３０，３０Ａ…画像処理部、３１…合成処理部、３２…検出部、５０…表示部、５１…第１表示部、５２…第１タッチパネル（選択部、第１操作部）、５３…第２表示部、５４…第２タッチパネル（第２操作部）、７０…システム制御部、７０Ａ…第１システム制御部、７０Ｂ…第２システム制御部（制御部）、７１…表示制御部（制御部）、７２…変更部、７３…選択部、７４…撮像制御部（画像合成部）、１００…撮像素子
【図１】
2019004521.tif 000003
【図２】
2019004521.tif 000004
【図３】
2019004521.tif 000005
【図４】
2019004521.tif 000006
【図５】
2019004521.tif 000007
【図６】
2019004521.tif 000008
【図７】
2019004521.tif 000009
【図８】
2019004521.tif 000010
【図９】
2019004521.tif 000011
【図１０】
2019004521.tif 000012
【図１１】
2019004521.tif 000013
【図１２】
2019004521.tif 000014
【図１３】
2019004521.tif 000015
【図１４】
2019004521.tif 000016
【図１５】
2019004521.tif 000017
【図１６】
2019004521.tif 000018
【図１７】
2019004521.tif 000019
【図１８】
2019004521.tif 000020
【図１９】
2019004521.tif 000021
【図２０】
2019004521.tif 000022
【図２１】
2019004521.tif 000023
【図２２】
2019004521.tif 000024
【図２３】
2019004521.tif 000025